(57)【要約】【課題】箱型の筐体に日除けカバーを装着したレンズ装置において、横風による像ぶれを防止する。【解決手段】レンズ装置１３は、内部に結像光学系が収納された箱型の筐体１６を備えており、筐体１６の天面には、日除けカバー１７が取り付けられている。筐体１６に収納されたレンズ鏡胴１８は、第１レンズ群２０を保持する部分の直径が他の光学要素を保持する部分の直径よりも大きくなっている。レンズ鏡胴１８を収納する筐体１６の天面のうち、第１レンズ群２０よりも像側の部分をレンズ鏡胴１８側（下側）には凹溝２４が設けられており、日除けカバー１７は、この凹溝２４の内部に配置されている。【選択図】図５
2013156582.tif 000002
【特許請求の範囲】
【請求項１】
結像光学系を構成する複数の光学要素を保持したレンズ鏡胴と、
前記レンズ鏡胴を収納する箱型の筐体と、
前記筐体の天面との間に隙間をおいて該天面の一部を覆うカバーと、
を備え、
前記筐体の天面において、前記カバーに覆われる部分の前記筐体の底面からの高さ位置は、前記筐体の天面におけるその余の部分の高さ位置よりも低いレンズ装置。
【請求項２】
請求項１に記載のレンズ装置であって、
前記カバーは、前記筐体の天面において、前記結像光学系の前玉レンズよりも像側の部分を覆うレンズ装置。
【請求項３】
請求項１または２に記載のレンズ装置であって、
前記結像光学系の光軸に沿って延在する前記カバーの左右の縁部は、前記筐体の天面に向けて傾斜しているレンズ装置。
【請求項４】
請求項１から３のいずれか一項に記載のレンズ装置であって、
前記レンズ鏡胴を支持するベースプレートを備え、
前記ベースプレートは、前記結像光学系の前玉レンズよりも像側に設けられ、少なくともその一部が、前記結像光学系の光軸方向に前記前玉レンズと重なるように配置されているレンズ装置。
【請求項５】
請求項１から４のいずれか一項に記載のレンズ装置を備えた撮像装置。
【発明の詳細な説明】
【技術分野】
【０００１】
本発明は、結像光学系を収納する箱型の筐体を備えるレンズ装置及び撮像装置に関する。
【背景技術】
【０００２】
スポーツ中継などで屋外にて使用されるテレビカメラや、屋外に設置される監視カメラのような撮像装置において、結像光学系を収納する筐体を備えたものが知られている（例えば、特許文献１、２参照）。
【０００３】
結像光学系を箱型の筐体に収納してなるレンズ装置は、屋外での使用に伴い、直射日光に晒されるが、日光に晒らされることによる過度な温度上昇が懸念される。特に、レンズ装置を目立たないようにするため、あるいはレンズ装置における光の反射を抑制するために、レンズや鏡胴が黒色塗装されたものにおいては、日光に晒されることによる温度上昇が顕著となる。そこで、例えば、上記特許文献２に記載されたレンズ装置のように、筐体の天面を覆う日除けカバーが筐体に装着される場合がある。
【先行技術文献】
【特許文献】
【０００４】
【特許文献１】特開２０００−２０６５８８号公報
【特許文献２】特開平０５−１６１０４１号公報
【発明の概要】
【発明が解決しようとする課題】
【０００５】
上記のレンズ装置は、屋外での使用に伴い、日光だけでなく風にも晒されるが、筐体が箱型であることによって、横風に対する風上側の筐体側面に比較的大きな風圧を受ける。そして、筐体を覆う日除けカバーは、熱伝導の観点から筐体の天面との間に隙間をあけて装着されるため、日除けカバーが装着されることによって、レンズ装置の上下方向の寸法が大きくなり、横風を受ける側面の面積が増加する。その結果、突風などの風変動により筐体に振動が発生し、像ぶれを引き起こす虞がある。
【０００６】
本発明は、上述した事情に鑑みてなされたものであり、箱型の筐体に日除けカバーを装着したレンズ装置において、横風による像ぶれを防止することを目的とする。
【課題を解決するための手段】
【０００７】
（１）本発明のレンズ装置は、結像光学系を構成する複数の光学要素を保持したレンズ鏡胴と、前記レンズ鏡胴を収納する箱型の筐体と、前記筐体の天面との間に隙間をおいて該天面の一部を覆うカバーと、を備え、
前記筐体の天面において、前記カバーに覆われる部分の前記筐体の底面からの高さ位置は、前記筐体の天面におけるその余の部分の高さ位置よりも低い。
（２）本発明の撮像装置は、上記（１）のレンズ装置を備えている。
【発明の効果】
【０００８】
本発明によれば、筐体の天面において、カバーに覆われる部分の筐体の底面からの高さ位置を、筐体の天面におけるその余の部分の高さ位置よりも低くすることにより、カバーの装着によってもレンズ装置の上下方向の寸法の増加を抑制することができる。それにより、レンズ装置の風上側の側面に受ける風圧の増加を抑制することができるので、横風による像ぶれの発生を防止することができる。
【図面の簡単な説明】
【０００９】
【図１】本発明の実施形態を説明するためのレンズ装置及びこのレンズ装置を備えた撮像装置の一例の全体構成図である。
【図２】図１のレンズ装置を示す斜視図である。
【図３】図１のレンズ装置を示す側面図である。
【図４】図１のレンズ装置の内部構造を示す一部破断断面図である。
【図５】本発明の実施形態を説明するためのレンズ装置の内部構造を示す一部破断断面図である。
【発明を実施するための形態】
【００１０】
図１は、本発明の実施形態を説明するための撮像装置の一例であるビデオカメラの全体構成図である。
【００１１】
図１に示すビデオカメラ１０は、上部にビューファインダ１１が設置されたカメラ本体１２と、該カメラ本体１２の先端に固定されたレンズ装置１３とから構成されており、屋外のスポーツ中継などにおいて、三脚１５に支持されて使用されるものである。
【００１２】
図２はレンズ装置１３の斜視図、図３はレンズ装置１３の側面図である。
【００１３】
レンズ装置１３は、箱型の筐体１６を備えており、該筐体１６の内部には、詳細は後述するが、結像光学系を構成する複数の光学要素や、それらを保持するレンズ鏡胴などが収納されている。
【００１４】
筐体１６の天面には、該天面の一部を覆う日除けカバー１７が取り付けられている。この日除けカバー１７は、屋外での撮影時に筐体１６が直射日光に晒されて温度が過度に上昇するのを防ぐためのものである。日除けカバー１７から筐体１６へ熱が伝わるのを防ぐために、日除けカバー１７の下面には複数本の脚部１７ａが設けられており、日除けカバー１７は、これらの脚部１７ａを筐体１６の天面に固定され、筐体１６の天面との間に所定の隙間をおいて取り付けられている。
【００１５】
図４は、レンズ装置１３の内部構造を示している。レンズ装置１３の筐体１６には、レンズ装置１３の結像光学系を構成する複数の光学要素を保持したレンズ鏡胴１８と、レンズ鏡胴１８を支持する平板状のベースプレート１９が収納されている。
【００１６】
レンズ鏡胴１８に収納された結像光学系は、被写体側から像側に向けて順に配置された、前玉レンズを含む第１レンズ群２０、変倍レンズを含む第２レンズ群２１、絞り２２、及びリレーレンズを含む第３レンズ群２３などを有している。
【００１７】
最も被写体側に位置する第１レンズ群２０は、第１レンズ群２０よりも像側に位置する他の光学要素（第２レンズ群２１、絞り２２、リレーレンズを含む第３レンズ群３８など）に比べて径が大きく、これらの光学要素を保持するレンズ鏡胴１８は、第１レンズ群２０を保持する部分の直径が他の光学要素を保持する部分の直径よりも大きくなっている。
【００１８】
そこで、本レンズ装置１３においては、レンズ鏡胴１８を収納する筐体１６の天面のうち、第１レンズ群２０よりも像側の部分をレンズ鏡胴１８側（下側）に凹ませて凹部２４を設け、この凹部２４の内部に日除けカバー１７を取り付けている。すなわち、図４に示すように、筐体１６をその側面方向から見ると、筐体１６の底面から天面までの高さは、前玉レンズを含む第１レンズ群２０が配置された部分よりもその余の光学要素が配置された部分の方が低くなっており、日除けカバー１７は、筐体１６の天面において、第１レンズ群２０よりも像側の部分を覆っている。
【００１９】
上記のように構成されたレンズ装置１３においては、筐体１６の天面に日除けカバー１７を取り付けても、レンズ装置１３の上下方向の寸法の増加を抑制することができ、横風を受ける筐体１６の側面の面積を小さくすることができる。それにより、筐体１６の天面に日除けカバー１７を備えたレンズ装置１３において、突風などの風変動によるレンズ装置１３の振動を抑制でき、横風による像ぶれの発生を有効に防止することができる。
【００２０】
また、日除けカバー１７は、結像光学系の光軸Ｌに沿って延在する左右の縁部が筐体１６の天面に向けて傾斜している（図２参照）。それにより、レンズ装置１３の風上側の側面に当たる横風がスムーズに流れ、突風などの風変動による筐体１６の振動をさらに抑制することができる。
【００２１】
図５は、本発明の実施形態を説明するためのレンズ装置の他の例の内部構造を示す。
【００２２】
図５に示すレンズ装置１１３は、レンズ鏡胴１８を支持するベースプレート１９の被写体側端部を第１レンズ群２０よりも像側に後退させ、かつ、ベースプレート１９の被写体側端部が、結像光学系の光軸Ｌ方向に第１レンズ群２０と重なるように配置したものである。
【００２３】
上記のように構成されたレンズ装置１１３においては、光軸Ｌ方向におけるベースプレート１９と第１レンズ群２０との重なりＨだけ、その上下方向の寸法をさらに小さくすることができ、横風を受ける筐体１６の側面の面積をさらに小さくすることができる。それにより、突風などの風変動によるレンズ装置１１３の振動をさらに抑制でき、横風による像ぶれの発生をより一層防止することができる。
【００２４】
なお、以上の説明においては、本発明を撮像装置の一例であるビデオカメラに適用した場合について説明したが、本発明は、監視カメラに適用することもできる。
【００２５】
以上、説明したように、本明細書には、下記（１）から（４）のレンズ装置が、また下記（５）の撮像装置が開示されている。
【００２６】
（１）  結像光学系を構成する複数の光学要素を保持したレンズ鏡胴と、前記レンズ鏡胴を収納する箱型の筐体と、前記筐体の天面との間に隙間をおいて該天面の一部を覆うカバーと、を備え、前記筐体の天面において、前記カバーに覆われる部分の前記筐体の底面からの高さ位置は、前記筐体の天面におけるその余の部分の高さ位置よりも低いレンズ装置。
（２）  上記（１）のレンズ装置であって、前記カバーは、前記筐体の天面において、前記結像光学系の前玉レンズよりも像側の部分を覆うレンズ装置。
（３）  上記（１）または（２）のレンズ装置であって、前記結像光学系の光軸に沿って延在する前記カバーの左右の縁部は、前記筐体の天面に向けて傾斜しているレンズ装置。
（４）  上記（１）から（３）のいずれか一つのレンズ装置であって、前記レンズ鏡胴を支持するベースプレートを備え、前記ベースプレートは、前記結像光学系の前玉レンズよりも像側に設けられ、少なくともその一部が、前記結像光学系の光軸方向に前記前玉レンズと重なるように配置されているレンズ装置。
（５）  上記（１）から（４）のいずれか一つのレンズ装置を備えた撮像装置。
【符号の説明】
【００２７】
１０  ビデオカメラ（撮像装置）
１１  ビューファインダ
１２  カメラ本体
１３  レンズ装置
１５  三脚
１６  筐体
１７  日除けカバー
１７ａ  脚部
１８  レンズ鏡胴
１９  ベースプレート
２０  第１レンズ群
２１  第２レンズ群
２２  絞り
２３  第３レンズ群
２４  凹部
Ｌ  光軸
【図１】
2013156582.tif 000003
【図２】
2013156582.tif 000004
【図３】
2013156582.tif 000005
【図４】
2013156582.tif 000006
【図５】
2013156582.tif 000007